(57)【特許請求の範囲】
【請求項１】
略直方体状の蒸散剤保持体を傾斜させた状態で発熱体により加熱する加熱蒸散装置において、
前記発熱体を内蔵する器体と、前記器体に設けられた蓋体と、前記蓋体の内面に設けられて前記蒸散剤保持体を弾性的に支持する押さえ部とを備え、且つ、
前記蓋体が前記器体に対して開閉可能に設けられ、前記蓋体を前記器体に対して閉じた際に前記押さえ部が前記蒸散剤保持体を前記発熱体に向けて弾性的に支持することを特徴とする加熱蒸散装置。
【請求項２】
前記蒸散剤保持体をセットする際に前記蒸散剤保持体の挿入を案内するガイドと、前記蒸散剤保持体が所定位置まで挿入されたらそれ以上進まないようにするリブストッパーとを前記蓋体及び前記器体の少なくとも一方に備えている請求項１に記載の加熱蒸散装置。
【請求項３】
前記蒸散剤保持体が、前記ガイドによって案内される側縁部と、前記側縁部より内側の蒸散剤保持部とを備え、前記押さえ部が前記側縁部を弾性的に支持する請求項２に記載の加熱蒸散装置。
【発明の詳細な説明】
【０００１】
【発明の属する技術分野】
本発明は、蒸散剤保持体を傾斜させて使用する加熱蒸散装置に関し、特に異種のサイズの蒸散剤保持体を収容できる加熱蒸散装置に関する。
【０００２】
【従来の技術】
従来、蚊等の害虫を駆除するための殺虫剤や、芳香剤等を室内に拡散するために、加熱蒸散装置が用いられている。
加熱蒸散装置として、拡散効率を上げるために、マット等の蒸散剤含浸体を器体内で傾斜させた状態で、その蒸散剤含浸体を発熱体で加熱するものが提案されている。器体には、蒸散剤含浸体を挿入する挿入口が設けられ、発熱体としては、面状の加熱板等が用いられていた。
【０００３】
【発明が解決しようとする課題】
従来の加熱蒸散装置の、蒸散剤含浸体の挿入口は、含浸体の厚みに応じたサイズであり、厚みの異なる含浸体は挿入できなかった。また、蒸散剤含浸体の挿入をスムーズに行えないことや、蒸散剤含浸体を器体内に適切にセットできないことがあった。
さらに、ユーザーの手指が発熱体に接触する可能性があった。
本発明は、上記事情に鑑みてなされたものであって、その目的は、異種のサイズの蒸散剤保持体をセット可能でかつ使いやすい加熱蒸散装置を提供することにある。
【０００４】
【課題を解決するための手段】
本発明の目的は、下記構成によって達成される。
（１） 略直方体状の蒸散剤保持体を傾斜させた状態で発熱体により加熱する加熱蒸散装置において、
前記発熱体を内蔵する器体と、前記器体に設けられた蓋体と、前記蓋体の内面に設けられて前記蒸散剤保持体を弾性的に支持する押さえ部とを備え、且つ、
前記蓋体が前記器体に対して開閉可能に設けられ、前記蓋体を前記器体に対して閉じた際に前記押さえ部が前記蒸散剤保持体を前記発熱体に向けて弾性的に支持することを特徴とする加熱蒸散装置。
（２） 前記蒸散剤保持体をセットする際に前記蒸散剤保持体の挿入を案内するガイドと、前記蒸散剤保持体が所定位置まで挿入されたらそれ以上進まないようにするリブストッパーとを前記蓋体及び前記器体の少なくとも一方に備えている前記（１）に記載の加熱蒸散装置。
（３） 前記蒸散剤保持体が、前記ガイドによって案内される側縁部と、前記側縁部より内側の蒸散剤保持部とを備え、前記押さえ部が前記側縁部を弾性的に支持する前記（２）に記載の加熱蒸散装置。
【０００５】
上記構成によれば、蒸散剤保持体を弾性的に支持する押さえ部によって、蒸散剤保持体のサイズが異なっても、蒸散剤保持体を器体内に傾斜状態でしっかりと支持できる。すなわち、押さえ部によって蒸散剤保持体のサイズの違いを吸収できる。したがって、サイズの異なる蒸散剤保持体を使用することが可能となり、例えば、有効使用期間の異なる蒸散剤保持体を用途に応じて選択して使用することなどが可能となる。さらに、蓋体が器体に対して開閉可能に設けられ、蓋体を器体に対して閉じた際に押さえ部が蒸散剤保持体を発熱体に向けて弾性的に支持する構成であるので、器体に蒸散剤保持体をセットするのが容易になる。また、蒸散剤保持体の交換も容易に行える。さらに、発熱体によって効率良く蒸散剤保持体を加熱できる。
【０００６】
上記の加熱蒸散装置が、蒸散剤保持体をセットする際に蒸散剤保持体の挿入を案内するガイドと、蒸散剤保持体が所定位置まで挿入されたらそれ以上進まないようにするリブストッパーとを備えていれば、蒸散剤保持体を容易にかつ適切にセットでき、ユーザーにとっての使い勝手が良くなる。
蒸散剤保持体が、前記ガイドによって案内される側縁部と、その側縁部より内側の蒸散剤保持部とを備え、前記押さえ部が前記側縁部を弾性的に支持する構成であれば、拡散効率を向上することができる。
【０００７】
押さえ部の形態に制限はないが、例えば、板ばね、コイルばね等が挙げられる。
蒸散剤保持体としては、マット等の蒸散剤含浸体のほか、加熱蒸散液を容器に収容するとともにその容器の開口を気体透過性フィルムで塞いだもの等を用いることができる。
発熱体としては、傾斜状態の蒸散剤保持体を裏側から加熱して蒸散剤保持体の表側から薬剤を蒸散せしめるような形態のものを例示できる。例えば、蒸散剤保持体を面状に加熱するような発熱体を用いることが好ましい。
【０００８】
本発明において薬剤としては、殺虫剤、殺菌剤、殺ダニ剤、或は忌避剤、医薬品、芳香剤、消臭剤、防虫剤、化粧品等の薬剤（薬液）が使用される。例えば、従来より害虫駆除に用いられている以下の各種薬剤が挙げられる。
＊３−アリル−２−メチルシクロペンタ−２−エン−４−オン−１−イル  ｄ−シス／トランス−クリサンテマート（商品名ピナミンフォルテ：住友化学工業株式会社製）
＊３−アリル−２−メチルシクロペンタ−２−エン−４−オン−１−イル  dl−シス／トランス−クリサンテマート（一般名アレスリン：商品名ピナミン：住友化学工業株式会社製）
＊２−メチル−４−オキソ−３−（２−プロピニル）−２−シクロペンテニルクリサンテマート（一般名：プラレトリン）
＊ｄ−３−アリル−２−メチルシクロペンタ−２−エン−４−オン−１−イルｄ−トランス−クリサンテマート（商品名エキスリン：住友化学工業株式会社製）
＊３−アリル−２−メチルシクロペンタ−２−エン−４−オン−１−イル  ｄ−トランス−クリサンテマート（一般名バイオアレスリン）
＊Ｎ−（3,4,5,6−テトラヒドロフタリミド）−メチル  dl−シス／トランス−クリサンテマート（一般名フタルスリン：商品名ネオピナミン：住友化学工業株式会社製）
＊５−ベンジル−３−フリルメチル  ｄ−シス／トランス−クリサンテマート（一般名レスメトリン：商品名クリスロンフォルテ：住友化学工業株式会社製）＊５−（２−プロパギル）−３−フリルメチルクリサンテマート（一般名フラメトリン）
＊３−フェノキシベンジル 2,2−ジメチル−３−（2',2'−ジクロロ）ビニルシクロプロパン  カルボキシレート（一般名ペルメトリン：商品名エクスミン：住友化学工業株式会社製）
＊３−フェノキシベンジル  ｄ−シス／トランスクリサンテマート（一般名フェノトリン：商品名スミスリン：住友化学工業株式会社製）
＊α−シアノフェノキシベンジル  イソプロピル−４−クロロフェニルアセトテート（一般名フェンバレレート：商品名スミサイジン：住友化学工業株式会社製）
＊(S)−α−シアノ−３−フェノキシベンジル(1R，シス）−３−（2,2−ジクロロビニル）−2,2−ジメチルシクロプロパンカルボキシレート
＊(R,S）−α−シアノ−３−フェノキシベンジル(1R,1S)−シス／トランス−３−(2,2−ジクロロビニル)−2,2−ジメチルシクロプロパンカルボキシレート
＊α−シアノ−３−フェノキシベンジル  ｄ−シス／トランス−クリサンテマート
＊１−エチニル−２−メチル−２−ペンテニルシス／トランス／クリサンテマート
＊１−エチニル−２−メチル−２−ペンテニル2,2−ジメチル−３−（２−メチル−１−プロペニル）シクロプロパン−１−カルボキシレ−ト
＊１−エチニル−２−メチル−２−ペンテニル2,2,3,3−テトラメチルシクロプロパンカルボキシレート
＊１−エチニル−２−メチル−２−ペンテニル2,2−ジメチル−３−(2,2−ジクロロビニル）シクロプロパン−１−カルボキシレート
＊Ｏ〔（ペンタフルオロフェニル）−メチル〕−１Ｒ，３Ｒ−３−（２，２−ジクロロエチニル）−２，２−ジメチル−シクロプロパンカルボキシレート（一般名フェンフルスリン）
＊ｄ−トランス−２，３，５，６−テトラフルオロベンジル−３−（２，２−ジクロロビニル）−２，２−ジメチル−１−シクロプロパンカルボキシレート（一般名トランスフルスリン）
＊Ｏ,Ｏ−ジメチル  Ｏ−(2,2−ジクロロ）ビニルホスフェート
＊ｏ−イソプポキシフェニル  メチルカーバメ−ト
＊Ｏ,Ｏ−ジメチル  Ｏ−（３−メチル−４−ニトロフェニル）チオノフォスフェート
＊Ｏ,Ｏ−ジエチル  Ｏ−２−イソプロピル−４−メチル−ピリミジル−(6)−チオフォスフェート
＊Ｏ,Ｏ−ジメチル  Ｓ−（1,2  −ジカルボエトキシエチル）−ジチオフォスフェート
【０００９】
【発明の実施の形態】
以下、本発明の実施形態を図面に基づいて詳しく説明する。図１に示す、本発明の一実施形態の加熱蒸散装置１０は、器体１１と、器体１１に対して開閉可能に設けられた蓋体１５とを備えている。蓋体１５は、器体１１に対して閉じた状態で、水平方向（地面に対して平行な方向）に対して傾斜（例えば１０度〜５０度で傾斜）した表面１５ａを有し、その表面１５ａに複数の蒸散開口１６が設けられている。ここでは蒸散開口１６が、上下方向にスリット状に延びるように複数設けられている。
【００１０】
器体１１には、コンセントに挿し込まれる電源供給用のプラグ１２が設けられている。プラグ１２は、図１に実線で示すように、器体１１の、蓋体１５が設けられた側とは反対側の側面から突出するように設けられてもよいし、図１に二点鎖線で示すように、器体１１の下面から突出するように設けられてもよい。プラグ１２が、実線で示すような器体１１側面から突出した状態と、二点鎖線で示すように器体１１下面から突出した状態との両方の位置をとり得るように、器体１１に可動に設けられてもよい。
【００１１】
蓋体１５の上端には、指掛け部１７が設けられている。ユーザーが、指掛け部１７に手をかけて、図中矢印Ｏで示すように蓋体１５に力をかけると、蓋体１５は、その下端付近を回動中心として上端側が回動し、器体１１に対して開いた状態になる。
【００１２】
図２は、蓋体１５を開いた状態の概略断面図である。この断面図では、後述する発熱体が現れておらず、また蒸散剤保持体がまだセットされていない。蓋体１５の内面には、押さえ部となる板ばね１８が設けられている。く字状に形成された板ばね１８は、蓋体１５の上端側に片持ち支持され、下方かつ器体１１へ接近する方向（蓋体１５から離れる方向）へ延び、その長さの半分より先端側で屈曲され、屈曲部より先は蓋体１５へ近づく方向へ傾斜して延びている。
蓋体１５内面の、板ばね１８先端より下端側に、リブストッパー１９ａが立設されている。
【００１３】
図３に、蒸散剤保持体の一例を示す。この蒸散剤保持体２０は、加熱蒸散液を収容した略直方体状の容器２１の上方開口を気体透過性フィルム２２で覆い、容器２１の上方周縁にフランジ状の側縁部２３を設けた構成である。容器２１は、例えば金属製とすることができる。側縁部２３の端部には、凸条２３ａが設けられている。この蒸散剤保持体２０は、容器２１の下面を加熱されて、気体透過性フィルム２２を介して薬剤を蒸散するものなので、目詰まりなどの心配がない。
【００１４】
図４は、図２におけるＡ矢視図である。蓋体１５の両側縁部には、Ｌ字状のガイド１９ｂ，１９ｂが設けられている。ガイド１９ｂは、蓋体１５の表面と略平行に延びている。前述の板ばね１８は、蓋体１５の内面に幅方向に間隔をあけて一対設けられ、各板ばね１８はガイド１９ｂ付近に位置している。
蓋体１５を開いた状態で、板ばね１８とガイド１９ｂとの間に、蒸散剤保持体２０の側縁部２３が挿し込まれる。図２に示したリブストッパー１９ａに蒸散剤保持体２０の先端が当たるまで、蒸散剤保持体２０が挿し込まれる。こうして、蒸散剤保持体２０の側縁部２３が、板ばね１８の屈曲部とガイド１９ｂとによって挟持された状態となる。
【００１５】
蒸散剤保持体２０が挿し込まれた後、蓋体１５を閉じた状態を、図５（Ａ）に示す。図５（Ａ）に示すように、板ばね１８の屈曲部付近が、傾斜状態の蒸散剤保持体２０を発熱体２５に向けて押圧している。蓋体１５を閉じると、蒸散剤保持体２０が発熱体２５に押し付けられて、板ばね１８は蓋体１５を閉じる前より大きく弾性変形する。したがって、板ばね１８が強い弾性力により蒸散剤保持体２０をしっかりと支持する。蒸散剤保持体２０は、水平方向に対して例えば１０度〜９０度で傾斜した状態で支持される。
【００１６】
発熱体２５は、発熱部２５ａと、発熱部２５ａ上に設けられた面状の伝熱部２５ｂとを備えている。電源が供給されて発熱部２５ａが発熱すると、その熱が伝熱部２５ｂに伝わり、伝熱部２５ｂが蒸散剤保持体２０の裏面を面状に加熱する。すると、蒸散剤保持体２０の表面の気体透過性フィルムを介して殺虫剤等の薬剤が蒸散され、蓋体１５の蒸散開口１６を介して外部に拡散される。そのとき、板ばね１８が蒸散の邪魔にならない。板ばね１８に、蒸散液が付着することもない。
【００１７】
図５（Ｂ）は、図５（Ａ）のときより厚みの薄い蒸散剤保持体２０をセットした状態を示している。蓋体１５を閉じると、蒸散剤保持体２０が発熱体２５に押し付けられて、板ばね１８は蓋体１５を閉じる前より大きく弾性変形するが、その弾性変形量は図５（Ａ）のときより小さい。図５（Ａ）の蒸散剤保持体２０は１２０日用のもので、図５（Ｂ）の蒸散剤保持体２０は３０日用のものである。図５（Ｃ）は、蒸散剤保持体２０をセットせずに蓋体１５を閉じた状態を示す。
【００１８】
上記構成の加熱蒸散装置１０によれば、蒸散剤保持体２０を弾性的に支持する一対の板ばね１８，１８によって、蒸散剤保持体２０のサイズが異なっても、蒸散剤保持体２０を器体１１内に傾斜状態でしっかりと支持できる。すなわち、板ばね１８，１８によって蒸散剤保持体２０のサイズの違いを吸収できる。したがって、サイズの異なる蒸散剤保持体２０を使用することが可能となり、例えば、有効使用期間の異なる蒸散剤保持体を用途に応じて選択して使用することなどが可能となる（３０日用、９０日用、１２０日用など）。
さらに、蓋体１５が器体１１に対して開閉可能に設けられ、蓋体１５を器体１１に対して閉じた際に、前述の一対の板ばね１８、１８が蒸散剤保持体２０を発熱体２５に向けて弾性的に支持する構成であるので、器体１１に蒸散剤保持体２０をセットするのが容易になり、蒸散剤保持体２０の交換も容易に行うことができる。また、発熱体２５によって効率良く蒸散剤保持体２０を加熱することもできる。
【００１９】
なお、本発明は、前述した実施形態に限定されるものではなく、適宜な変形、改良等が可能である。
例えば、蒸散剤保持体が器体に挿入される構成でもよく、器体にリブストッパーやガイドが設けられていてもよい。
【００２０】
【発明の効果】
以上詳細に説明したように、本発明によれば、異種のサイズの蒸散剤保持体をセット可能でかつ使いやすい加熱蒸散装置を提供できる。
【図面の簡単な説明】
【図１】本発明の一実施形態を示す斜視図である。
【図２】蓋体を開いたときの概略断面図である。
【図３】蒸散剤保持体の一例を示す斜視図である。
【図４】図２におけるＡ矢視図である。
【図５】蓋体を閉じたときの概略断面図である。
【符号の説明】
１０        加熱蒸散装置
１１        器体
１５        発熱ユニット
１６        蒸散開口
１８        板ばね（押さえ部）
２０        蒸散剤保持体
２５        発熱体
【図１】
0003874681.tif 000002
【図２】
0003874681.tif 000003
【図３】
0003874681.tif 000004
【図４】
0003874681.tif 000005
【図５】
0003874681.tif 000006